(57)【要約】【課題】ノイズの影響による接触センサの誤動作を抑制した情報処理装置を提供する。【解決手段】基準値変更部（２４）は、センサ値が上限値を超えることなく変化した場合に、センサ値の変化を追従させるように基準レベルを変更するとともに、センサ値が上限値を超えて変化した場合に、センサ値の変化を追従させることなく基準レベルを設定する補正モードを実行する。【選択図】図１
2015211026.tif 000002
【特許請求の範囲】
【請求項１】
把持部を把持したユーザの手が接触する位置に設けられた、センサ値を出力する接触センサを備えており、
上記把持部が把持されていない状態における上記センサ値を表すための基準値が設定されており、
上記センサ値が、上記基準値と所定の差を有する値である接触閾値を超えた場合に、上記把持部が把持されたと認識する情報処理装置であって、
上記センサ値の変化に伴い、上記基準値を変更する基準値変更手段を備えており、
上記基準値変更手段は、上記センサ値が、上記基準値の変更を制限するために設定された第１の値を超えることなく変化した場合に、上記センサ値の変化を追従させるように上記基準値を変更するとともに、上記センサ値が上記第１の値を超えて変化した場合に、当該センサ値の変化を追従させることなく上記基準値を設定する補正モードを実行することを特徴とする情報処理装置。
【請求項２】
把持されるに伴って上記センサ値が変化する方向を負方向と定義した場合、上記第１の値は、上記把持部が把持されていない状態における上記センサ値よりも大きい値に設定されており、
把持されるに伴って上記センサ値が変化する方向を正方向と定義した場合、上記第１の値は、上記把持部が把持されていない状態における上記センサ値よりも小さい値に設定されていることを特徴とする請求項１に記載の情報処理装置。
【請求項３】
ある時刻における上記基準値である第１基準値が、予め定められた補正モード実行閾値を超えて上記第１基準値とは異なる第２基準値に変更された場合、上記基準値変更手段は上記補正モードを実行し、
上記第１の値は、上記第２基準値以上、かつ、上記第１基準値以下の値であることを特徴とする請求項１に記載の情報処理装置。
【請求項４】
上記補正モードにおいて、上記基準値変更手段は、上記センサ値が上記第１の値を超えて変化した場合に、上記第１の値を上記基準値として設定することを特徴とする請求項３に記載の情報処理装置。
【請求項５】
把持部を把持したユーザの手が接触する位置に設けられた、センサ値を出力する接触センサを備えており、
上記把持部が把持されていない状態における上記センサ値を表すための基準値が設定されており、
上記センサ値が、上記基準値と所定の差を有する値である接触閾値を超えた場合に、上記把持部が把持されたと認識する情報処理装置の制御方法であって、
上記センサ値の変化に伴い、上記基準値を変更する基準値変更ステップを含んでおり、
上記基準値変更ステップにおいて、上記センサ値が、上記基準値の変更を制限するために設定された第１の値を超えることなく変化した場合に、上記センサ値の変化を追従させるように上記基準値を変更するとともに、上記センサ値が上記第１の値を超えて変化した場合に、当該センサ値の変化を追従させることなく上記基準値を設定する補正モードを実行することを特徴とする情報処理装置の制御方法。
【発明の詳細な説明】
【技術分野】
【０００１】
本発明は、接触センサの検出結果に応じて、所定の処理を実行することが可能な情報処理装置に関する。
【背景技術】
【０００２】
従来、スマートフォンなどの情報処理装置に備えられたセンサによる検出結果に応じて、情報処理装置にて実行する処理を決定する技術がある。例えば、特許文献１には、情報処理装置である携帯端末の両端に静電容量センサの電極を配置し、両方の電極に触れたか否か、および触れた指の本数により、携帯端末にて実行する処理を決定する技術が開示されている。
【０００３】
特許文献１に記載されているようなセンサ（接触センサ）は、周囲の環境の変化によって、物体が非接触のときのセンサ値が変化する場合がある。例えば、静電容量センサの場合、センサの周囲の温度変化によって、物体が非接触のときに検出されるセンサ値が変化してしまう。このとき物体が接触したか否かを判定するための閾値が不変であると、センサの誤動作（例えば、ユーザが接触センサに触れているのに、触れていないと判定するなど）が生じ得る。このような問題の解決策として、物体が非接触であると判断されるときのセンサ値を取得し、当該センサ値に合わせて所定の時間間隔で閾値を変化させる技術がある。
【０００４】
図９は、従来の情報処理装置におけるセンサ値と閾値との関係を示すタイミングチャートである。図９に示すように、従来は、所定のタイミングでセンサ値を取得することによって、物体が非接触のときのセンサ値としての基準レベルを設定し、当該基準レベルと一定の差を有する値を閾値としていた。これにより、センサ値の変化に追従するようにして閾値を変化させ、センサの周囲の温度変化によって生じ得る誤動作を防止していた。
【先行技術文献】
【特許文献】
【０００５】
【特許文献１】特開２０１１−１１９９５９号公報（２０１１年６月１６日公開）
【発明の概要】
【発明が解決しようとする課題】
【０００６】
しかしながら、上記のようなセンサを備えた情報処理装置は、ＲＦノイズなどの外乱によって誤動作が発生してしまうという問題がある。以下、具体的に説明する。
【０００７】
図１０は、従来の情報処理装置におけるセンサ値と閾値との関係を示すタイミングチャートである。図１０に示すように、例えば、時刻ｔ１において、ノイズの影響を受けてセンサ値が上昇（増大）し始め、時刻ｔ２において、センサ値の変化に追従するように基準レベルを上昇させ、時刻ｔ３においてノイズの影響が無くなることによってセンサ値が低下（減少）する場合を考える。
【０００８】
ノイズの影響によるセンサ値の変化は、温度変化の影響によるセンサ値の変化に比べて急峻であるため、時刻ｔ２から時刻ｔ３までの期間におけるセンサ値の低下に対して、基準レベル及び閾値を十分な速度で追従変化させることができない。
【０００９】
その結果、時刻ｔ３においてセンサ値が閾値を下回り、ユーザが接触センサに触れていないにもかかわらず触れていると接触判定するなどの誤動作をしてしまう。
【００１０】
以上のように、ノイズの影響に基づくセンサ値の変化に追従させて基準レベル及び閾値を変化させた場合、意図しないタイミングでセンサ値が閾値を下回り、誤動作をしてしまう。
【００１１】
そこで、本発明は、上記の課題に鑑みなされたものであって、その目的は、ノイズの影響による接触センサの誤動作を抑制した情報処理装置、及び情報処理装置の制御方法を提供することにある。
【課題を解決するための手段】
【００１２】
上記の課題を解決するために、本発明の一態様に係る情報処理装置は、把持部を把持したユーザの手が接触する位置に設けられた、センサ値を出力する接触センサを備えており、上記把持部が把持されていない状態における上記センサ値を表すための基準値が設定されており、上記センサ値が、上記基準値と所定の差を有する値である接触閾値を超えた場合に、上記把持部が把持されたと認識する情報処理装置であって、上記センサ値の変化に伴い、上記基準値を変更する基準値変更手段を備えており、上記基準値変更手段は、上記センサ値が、上記基準値の変更を制限するために設定された第１の値を超えることなく変化した場合に、上記センサ値の変化を追従させるように上記基準値を変更するとともに、上記センサ値が上記第１の値を超えて変化した場合に、当該センサ値の変化を追従させることなく上記基準値を設定する補正モードを実行することを特徴とする。
【００１３】
また、上記の課題を解決するために、本発明の一態様に係る情報処理装置の制御方法は、把持部を把持したユーザの手が接触する位置に設けられた、センサ値を出力する接触センサを備えており、上記把持部が把持されていない状態における上記センサ値を表すための基準値が設定されており、上記センサ値が、上記基準値と所定の差を有する値である接触閾値を超えた場合に、上記把持部が把持されたと認識する情報処理装置の制御方法であって、上記センサ値の変化に伴い、上記基準値を変更する基準値変更ステップを含んでおり、上記基準値変更ステップにおいて、上記センサ値が、上記基準値の変更を制限するために設定された第１の値を超えることなく変化した場合に、上記センサ値の変化を追従させるように上記基準値を変更するとともに、上記センサ値が上記第１の値を超えて変化した場合に、当該センサ値の変化を追従させることなく上記基準値を設定する補正モードを実行することを特徴とする。
【発明の効果】
【００１４】
本発明の一態様によれば、ノイズの影響による接触センサの誤動作を抑制した情報処理装置、及び情報処理装置の制御方法を提供することができる。
【図面の簡単な説明】
【００１５】
【図１】本発明の実施形態１に係る携帯端末の要部構成の一例を示すブロック図である。
【図２】本発明の実施形態１に係る携帯端末（情報処理装置）の外観を示す概略図である。
【図３】本発明の実施形態１に係る携帯端末（情報処理装置）におけるセンサ値、基準レベル、及び閾値の関係を示すタイミングチャートである。
【図４】本発明の実施形態２に係る携帯端末（情報処理装置）におけるセンサ値と基準レベルとの関係を示すタイミングチャートである。
【図５】本発明の実施形態２に係る携帯端末（情報処理装置）におけるセンサ値と基準レベルとの関係を示すタイミングチャートである。
【図６】本発明の実施形態２に係る携帯端末（情報処理装置）の基準値変更部の動作を説明するためのフローチャートである。
【図７】本発明の実施形態３に係る携帯端末（情報処理装置）におけるセンサ値と基準レベルとの関係を示すタイミングチャートである。
【図８】発明の実施形態３に係る携帯端末（情報処理装置）の基準値変更部の動作を説明するためのフローチャートである。
【図９】従来の情報処理装置におけるセンサ値と閾値との関係を示すタイミングチャートである。
【図１０】従来の情報処理装置におけるセンサ値と閾値との関係を示すタイミングチャートである。
【発明を実施するための形態】
【００１６】
以下、本発明の実施形態について、詳細に説明する。以下の特定の項目（実施形態）における構成について、それが他の項目で説明されている構成と同じである場合は、説明を省略する場合がある。また、説明の便宜上、各項目に示した部材と同一の機能を有する部材については、同一の符号を付し、適宜その説明を省略する。
【００１７】
また、以下の説明では情報処理装置の一例として携帯端末を例に、また把持部として携帯端末の筺体を例にして説明するが、これに限定されるものではなく、人が把持する部分を有する機器であれば本発明を適用できる。情報処理装置としては、例えば、スマートフォン、携帯電話、タブレット端末、リモコン、ドライヤー、掃除機、その他ハンドルで操作する情報処理装置等が含まれる。
【００１８】
〔実施形態１〕
＜携帯端末１の構成＞
図２は、本実施形態に係る携帯端末１（情報処理装置）の外観を示す概略図である。携帯端末１は、筐体の少なくとも１つの面に表示部１０（タッチパネル等）を備えている。なお、表示部１０を備える面を携帯端末１の「正面」と呼称する。また、携帯端末１は、携帯端末１の筐体を把持したユーザの手が携帯端末１に接触する位置に、接触センサ１１を備えている。例えば、図２に示すように、携帯端末１は、上記正面の長辺と隣接する２つの面（当該２つの面を携帯端末１の「側面」と呼称する）に、それぞれ１つずつの接触センサ１１を備えている。なお、接触センサ１１の数、および、接触センサ１１が配置される範囲は、図２に示すような例に限定されず、例えば、接触センサ１１が上記各側面に複数配置されてもよいし、接触センサ１１が側面全体に配置されてもよい。接触センサ１１は、筐体の外に露出してもよいし、筐体の中に配置されていてもよい。
【００１９】
図１は、携帯端末１の要部構成の一例を示すブロック図である。携帯端末１は、接触センサ１１、把持判定部１２（把持判定手段）、およびホスト制御部１３を備える情報処理装置である。なお、図１では図面の見やすさを考慮し、一部矢印を省略している。
【００２０】
接触センサ１１は、ユーザの手などの物体の接近又は接触を検出するセンサである。本実施形態では、接触センサ１１は静電容量センサであるが、この例に限定されるものではない。接触センサ１１として、圧力センサ、光センサなどを使用することもできる。なお、静電容量センサは、静電容量センサとユーザの手との間に筐体が介在しても、手の近接（筐体と手との接触）を検出することができる。接触センサ１１は、把持判定部１２からの指示に基づいて、物体の接触の有無に応じたセンサ値を把持判定部１２に出力する。具体的には接触センサ１１は、筐体の側面に配置された電極の静電容量の変化に応じたセンサ値を、把持判定部１２に出力する。例えば、接触センサ１１の出力信号の電位をセンサ値とする場合、筐体が把持されたときに電位が下降するか上昇するかは接触センサの種類によって異なる。ここでは、説明を統一するため、筐体が把持されるに伴ってセンサ値が変化する方向を、負方向と定義する。すなわち、筐体が把持されたときのセンサ値は、把持されていないときのセンサ値より小さい。
【００２１】
ホスト制御部１３は、携帯端末１のホスト側の制御を主に担う。ホスト制御部１３は、例えば表示部１０の制御を行う。ホスト制御部１３は、把持判定部１２における把持の有無の判定結果に応じて、表示部１０の表示を変更する。
【００２２】
＜把持判定部１２の構成＞
把持判定部１２は、センサ制御部２１、接触判定部２２（接触判定手段）、較正部２３、及び基準値変更部２４（基準値変更手段）を備える。また、把持判定部１２は、記憶部（図示せず）を備える。記憶部は、基準レベル（基準値）、把持閾値、および解放閾値などを記憶する。把持判定部１２の各部は、記憶部からこれらの記憶された値を読み書きすることができる。
【００２３】
基準レベルは、筐体がユーザに把持されていないときのセンサ値を表すためのものである。把持閾値は、筐体が把持されていることを判定するための閾値（接触閾値）である。解放閾値は、把持から解放された（手が離れた）ことを判定するための閾値である。例えば、把持閾値は、基準レベルより小さい値に設定される。解放閾値は、基準レベルより小さく、かつ把持閾値より大きい値に設定される。基準レベルと把持閾値との差および基準レベルと解放閾値との差は、あらかじめ設定されている。すなわち基準レベルが決まれば、それに応じて把持閾値および解放閾値は自ずと決まる。このように、基準レベルは、把持の有無を判定するための基準（把持閾値、解放閾値）を与えるために変更可能に設定される変数である。ここでは、把持の有無をヒステリシスに判定するために把持閾値と解放閾値とは異なるが、同じ値としてもよい。また、基準レベル、把持閾値、および解放閾値は、接触センサ１１ごとにそれぞれ設定される。
【００２４】
把持判定部１２は、センサ値と閾値（把持閾値）とを比較し、センサ値が閾値を超えた場合に、筐体が把持されたと判定（認識）する。言い換えると、把持判定部１２は、基準レベルとセンサ値との差分を算出し、上記差分が所定の値を超えた場合に、筐体が把持されたと判定する。
【００２５】
なお、「センサ値が閾値を超えた場合」は、「センサ値が閾値を越えた場合」と言い換えることができる。すなわち、ここでいう「センサ値が閾値を超えた場合」は、センサ値が閾値を跨いで変化することを意味し、センサ値が閾値を上回る場合と下回る場合とを含む。
【００２６】
具体的には、筐体が把持されるに伴ってセンサ値が変化する方向が正方向である場合、「センサ値が閾値を超えた場合」とは、センサ値が閾値を上回る場合を意味し、筐体が把持されるに伴ってセンサ値が変化する方向が負方向である場合、「センサ値が閾値を超えた場合」とは、センサ値が閾値を下回る場合を意味する。
【００２７】
筐体が把持されるに伴ってセンサ値が変化する方向を正方向とするか負方向とするかは、接触センサ１１をはじめとする携帯端末１の設計に応じて適宜選択することができる。
【００２８】
以下では、筐体が把持されるに伴ってセンサ値が変化する方向が負方向である携帯端末１を例に挙げて説明する。
【００２９】
（センサ制御部２１）
センサ制御部２１は、所定のタイミングで接触センサ１１を動作させ、接触センサ１１の出力としてセンサ値を取得する。センサ制御部２１は、一定期間ごとに接触センサ１１からセンサ値を取得する。接触センサ１１が複数ある場合、センサ制御部２１は、一定期間ごとにそれぞれの接触センサ１１からセンサ値を取得する。センサ制御部２１は、センサ値を、接触判定部２２、及び基準値変更部２４に出力する。
【００３０】
（接触判定部２２）
接触判定部２２は、センサ値と把持閾値とを比較し、センサ値が把持閾値より小さくなった場合、ユーザの手が（筐体を介して）接触センサ１１に接触していると判定する。また、接触判定部２２は、現時点で接触センサ１１が接触状態であることを記憶する。さらに、接触判定部２２は、センサ値と解放閾値とを比較し、センサ値が解放閾値より大きくなった場合、ユーザの手が接触センサ１１から離れた（把持から解放された）と判定する。また、接触判定部２２は、現時点で接触センサ１１が非接触状態であることを記憶する。センサ値が把持閾値以上かつ解放閾値以下の場合、接触判定部２２は、直前の状態（接触状態または非接触状態）が継続していると判定し、その状態を記憶し続ける。
【００３１】
接触判定部２２は、複数の（両側の）接触センサ１１が接触状態である場合、ユーザの手が筐体（携帯端末１）を把持していると判定する。例えば、片方の側面の接触センサ１１だけが接触状態で、他方の側面の接触センサ１１が非接触状態の場合、接触判定部２２は、ユーザの手が筐体を把持していないと判定してもよい。なお、携帯端末１に設けられた接触センサ１１が１つだけの場合、接触判定部２２は、その接触センサ１１の接触状態に基づいて把持の有無を判定する（把持判定ステップ）。接触判定部２２は、把持の有無の判定結果情報を、ホスト制御部１３に出力する。なお、以下の説明では簡単のため、１つの接触センサ１１の接触状態の判定について説明する。
【００３２】
（較正部２３）
較正部２３は、所定のタイミングでセンサ制御部２１からセンサ値を取得し、センサ値に基づいて基準レベルを較正する。例えば較正部２３は、一定期間ごとに基準レベルの較正を行う。また、較正部２３は、携帯端末１の電源がオンになった時、および、把持判定の機能がオンに設定された時などにも基準レベルの較正を行う。較正部２３は、センサ値を複数回取得し、複数のセンサ値の平均値（または中間値）を基準レベルとして設定する。基準レベルが変更されると、基準レベル値を変更した情報に基づいて、把持閾値および解放閾値も変更される。これにより、温度などの環境変化に応じて、非接触時のセンサ値を表すための基準レベルを較正することができる。
【００３３】
（基準値変更部２４）
基準値変更部２４は、補正モードを実行する。補正モード実行中、基準値変更部２４は、必要に応じて基準レベルを変更し（基準値変更ステップ）、変更後の基準レベルを接触判定部２２に出力する。
【００３４】
基準値変更部２４は、基準レベルの変更を制限するために設定された上限値（第１の値）を記憶している。
【００３５】
基準値変更部２４は、補正モード実行中、センサ値が上限値を超えることなく変化した場合、センサ値の変化を追従させるように基準レベルを変更する。
【００３６】
一方で、基準値変更部２４は、補正モード実行中、センサ値が上限値を超えて変化した場合、センサ値の変化を追従させることなく基準レベルを設定する。具体的には、センサ値が上限値を超えて変化した場合、基準値変更部２４は基準レベルを変更しなくてもよい。また、例えば、センサ値が上限値を超えて変化した場合、基準値変更部２４は、基準レベルを上限値の値に設定してもよい。
【００３７】
従来の携帯端末では、ＲＦノイズなどの影響によりセンサ値が上昇した場合に、センサ値を追従するように基準レベル及び閾値を上昇させていた。そのため、突如ＲＦノイズの影響が無くなることによってセンサ値が低下した場合、センサ値が閾値を越え（下回り）、ユーザが接触センサに触れていないにもかかわらず触れていると接触判定するなどの誤動作をしてしまう。
【００３８】
これに対して、本実施形態の携帯端末１では、基準値変更部２４は、補正モード実行中、センサ値が上限値を超えて変化した場合、センサ値の変化を追従させることなく基準レベルを設定する。具体的には、例えば、センサ値が上限値を超えて変化した場合、基準レベルは上限値を超えない値に設定される。その結果、基準レベル及び閾値の上昇にも制限がかかる。
【００３９】
これにより、突如ＲＦノイズの影響が無くなりセンサ値が急激に低下した場合であっても、センサ値が容易に閾値を越えることがないため、誤動作を抑制することができる。
【００４０】
なお、筐体が把持されるに伴ってセンサ値が変化する方向を負方向と定義した場合、上限値は、筐体が把持されていない状態におけるセンサ値よりも大きい値に設定される。反対に、筐体が把持されるに伴ってセンサ値が変化する方向を正方向と定義した場合、上限値は、筐体が把持されていない状態におけるセンサ値よりも小さい値に設定される。
【００４１】
本実施形態の携帯端末１の基準値変更部２４は、常時補正モードを実行する。
【００４２】
（動作例）
以下、本実施形態におけるセンサ値と基準レベルとの関係、及び携帯端末１の制御方法について、具体例に基づいて説明する。
【００４３】
図３は、本実施形態の携帯端末におけるセンサ値、基準レベル、及び閾値の関係を示すタイミングチャートである。
【００４４】
図３に示す例では、時刻ｔ１において、基準レベルは既に上限値に達している。ノイズの影響を受けて時刻ｔ１から時刻ｔ２にかけてセンサ値が上昇し、センサ値が上限値を超えた値となった場合、基準値変更部２４は基準レベルを変更しない。従って、閾値も変更されない。なお、図中の点線は、上限値を設けることなく、センサ値の変化に追従させて基準レベルを変更した場合の本来の基準レベルの値を示す。
【００４５】
本実施形態の携帯端末１の基準値変更部２４によれば、時刻ｔ３において、ノイズの影響が無くなるなどして、突如、センサ値が低下した場合であっても、センサ値が容易に閾値を下回ることがない。これにより、ユーザが接触センサに触れていないにもかかわらず触れていると接触判定するなどの誤動作を抑制することができる。このとき、基準レベルの上限値より下にて、センサ値が温度などの環境の変化により下る場合は、基準レベルの上限値より下部においては、追従制御は行ってもよいものとする。
【００４６】
〔実施形態２〕
本発明の他の実施形態について、図４〜図６に基づいて説明すれば、以下のとおりである。なお、説明の便宜上、前記実施形態にて説明した部材と同じ機能を有する部材については、同じ符号を付記し、その説明を省略する。
【００４７】
本実施形態の携帯端末１の基準値変更部２４は、実施形態１の携帯端末の基準値変更部とは異なり、基準レベルが予め定められた補正モード実行閾値を超えて変更された場合に、補正モードに移行する。以下、図面を参照して具体的に説明する。
【００４８】
図４及び図５は、本実施形態の携帯端末におけるセンサ値と基準レベルとの関係を示すタイミングチャートである。
【００４９】
図４及び図５に示すように、本実施形態の携帯端末１には、補正モード実行閾値ＪＬａが設定されている。
【００５０】
図４及び図５に示すように、ユーザが携帯端末１を把持することによって、時刻ｔ０においてセンサ値が低下し始め、センサ値が補正モード実行閾値ＪＬａ以下まで低下する。
【００５１】
センサ値が補正モード実行閾値ＪＬａ以下まで低下した状態で、時刻ｔ１において較正部２３による較正が行われた場合、基準レベルは、補正モード実行閾値ＪＬａ以下の値に設定される。具体的には、基準レベルは、較正前の値であるＺ２（第１基準値）から、携帯端末１がユーザに把持された状態のセンサ値であるｒｅｆ（０）（第２基準値）に変更される。
【００５２】
時刻ｔ１において、基準レベルが、補正モード実行閾値ＪＬａを超えてｒｅｆ（０）に変更された場合、時刻ｔ１以降、基準値変更部２４は、上述の補正モードを実行する。
【００５３】
このとき、基準値変更部２４は、ｒｅｆ（０）に所定の値Ｌａを加えた値を上限値（第１の値）として設定する。なお、上限値は、携帯端末１がユーザに把持された状態のセンサ値であるｒｅｆ（０）以上であって、較正前の基準レベルの値であるＺ２以下であることが好ましい。そのため、上限値は必要なければ設定しなくてもよく、また、場合によっては、較正前の基準レベルではなく、他の値であってもよい。
【００５４】
基準値変更部２４は、補正モード実行中、所定の時間間隔Ｓａで順次センサ値を取得する。基準値変更部２４は、センサ値が上限値を超えることなく変化した場合、センサ値の変化を追従させるように基準レベルを変更するとともに、センサ値が上限値を超えて変化した場合、基準レベルを上限値に設定する。
【００５５】
図４に示す例では、時刻ｔ２及び時刻ｔ３において、センサ値は上限値を超えることなく上昇しており、このとき、基準値変更部２４は、センサ値の変化を追従させるように基準レベルを変更する。なお、図４に示す例では、時刻ｔ３おいて、センサ値は上限値と等しい値まで上昇しており、基準レベルは上限値に等しい値に設定されている。
【００５６】
また、図５に示す例では、時刻ｔ４において、センサ値は上限値を超えて上昇しており、このとき、基準値変更部２４は、上限値を基準レベルとして設定する。
【００５７】
図４中の時刻ｔ３、及び図５中の時刻ｔ４における基準レベルのように、基準レベルが上限値に等しい値に設定されたとき、基準値変更部２４は補正モードを終了する。
【００５８】
なお、本実施形態において、上述した上限値に加えて、実施形態１で説明したような、筐体が把持されていない状態におけるセンサ値よりも大きい値としての上限値が設定されていてもよい。
【００５９】
（フローチャート）
上記の基本動作について、フローチャートを参照して説明する。図６は、基準値変更部２４の動作を説明するためのフローチャートである。
【００６０】
把持判定部１２の機能開始後、所定のタイミングで較正部２３による較正（キャリブレーション）が行われる（Ｓ１１）。次に、基準値変更部２４は、所定の時間間隔でセンサ値を取得し、センサ値とセンサ値取得時の基準レベル（Ｂａ）とを比較する（Ｓ１２）。Ｓ１２において、センサ値が基準レベル（Ｂａ）以下である場合（Ｓ１２でＮＯ）には再度較正が行われるタイミングを待ち、センサ値が基準レベル（Ｂａ）よりも大きい場合（Ｓ１２でＹＥＳ）には基準レベル（Ｂａ）と上限値（Ｌａ）とを比較する（Ｓ１３）。Ｓ１３において、基準レベル（Ｂａ）が上限値（Ｌａ）以上である場合（Ｓ１３でＮＯ）には補正モードを終了し、基準レベル（Ｂａ）が上限値（Ｌａ）よりも小さい場合（Ｓ１３でＹＥＳ）には、取得したセンサ値を基準レベルとして設定する（Ｓ１４）。Ｓ１４の後は、再度Ｓ１２に戻り、取得したセンサ値を基準レベル（Ｂａ）と比較し（Ｓ１２）、基準レベル（Ｂａ）を上限値（Ｌａ）と比較し（Ｓ１３）、基準レベル（Ｂａ）が上限値（Ｌａ）以上となるまでＳ１２からＳ１４を繰り返す。
【００６１】
基準値変更部２４が上記の動作をすることにより、ユーザが携帯端末１を把持した状態で較正部２３による較正が行われることによって基準レベルが極端に低下した場合であっても、早期に基準レベルを上限値まで上昇させることができ、正常に把持判定をすることができる。
【００６２】
さらに、上限値を設けているため、ノイズの影響によって基準レベル及び閾値が極端に上昇することもない。そのため、ノイズの影響が無くなるなどして、突如、センサ値が低下した場合であっても、容易にセンサ値が閾値を下回ることがない。これにより、ユーザが接触センサに触れていないにもかかわらず触れていると接触判定するなどの誤動作を抑制することができる。
【００６３】
なお、補正モード実行中、基準値変更部２４は、図４の時刻ｔ２から時刻ｔ３までの期間に示すように、センサ値が基準レベルを下回った場合、基準レベルを変更しないことが好ましい。すなわち、補正モード実行中、基準値変更部２４は、基準レベルを、上昇する方向にのみ変更することが好ましい。これにより、早期に基準レベルを上限値まで上昇させることができる。
【００６４】
また、図５に示すように、補正モード終了後、時刻ｔ５において、センサ値が上限値よりも大きい値となった場合、基準値変更部２４は、センサ値の上昇に応じて基準レベルを追従制御で上昇させてもよい。
【００６５】
また、図示はしないが、補正モード実行閾値ＪＬａは、閾値（把持閾値）と等しい値であってもよい。
【００６６】
〔実施形態３〕
本発明の他の実施形態について、図７〜図８に基づいて説明すれば、以下のとおりである。なお、説明の便宜上、前記実施形態にて説明した部材と同じ機能を有する部材については、同じ符号を付記し、その説明を省略する。また、以下の説明では、実施形態２との相違する点のみ説明するものとし、重複する説明は適宜省略する。
【００６７】
図７は、本実施形態の携帯端末におけるセンサ値と基準レベルとの関係を示すタイミングチャートである。
【００６８】
図７に示すように、ユーザが携帯端末１を把持することによって、時刻ｔ０においてセンサ値が低下し始め、センサ値が補正モード実行閾値ＪＬａ以下まで低下する。
【００６９】
センサ値が補正モード実行閾値ＪＬａ以下まで低下した状態で、時刻ｔ１において較正部２３による較正が行われた場合、基準レベルは、補正モード実行閾値ＪＬａ以下の値に設定される。具体的には、基準レベルは、較正前の値であるＺ２（第１基準値）から、携帯端末１がユーザに把持された状態のセンサ値であるｒｅｆ（０）（第２基準値）に変更される。このとき、基準値変更部２４は、携帯端末１がユーザに把持される前の基準レベルの値であるＺ２を保持する。
【００７０】
時刻ｔ１において、基準レベルが、補正モード実行閾値ＪＬａを超えてｒｅｆ（０）に変更された場合、時刻ｔ１以降、基準値変更部２４は、上述の補正モードを実行する。
【００７１】
本実施形態の基準値変更部２４は、絶対値であるＬａを上限値として設定する。Ｌａは、ｒｅｆ（０）以上であってＺ２以下の値であることが好ましい。
【００７２】
また、本実施形態の基準値変更部２４は、携帯端末１がユーザに把持される前の基準レベルの値であるＺ２を、上限値として設定してもよい。これにより、補正モード実行中に、携帯端末１がユーザに把持される前の基準レベルの値であるＺ２を超えない範囲で、基準レベルを上昇させることができる。
【００７３】
（フローチャート）
上記の基本動作について、フローチャートを参照して説明する。図８は、基準値変更部２４の動作を説明するためのフローチャートである。
【００７４】
把持判定部１２の機能開始後、接触判定部２２がセンサ値と閾値とを比較することによってユーザのタッチ操作を検出する（Ｓ２１）。タッチ操作が検出された場合（Ｓ２１でＹＥＳ）、基準値変更部２４は、センサ値と補正モード実行閾値ＪＬａとを比較する（Ｓ２２）。センサ値がＪＬａ以上の場合（Ｓ２２でＮＯ）、再度タッチ操作が検出されるタイミングを待ち、センサ値がＪＬａより小さい場合（Ｓ２２でＹＥＳ）、基準値変更部２４は、そのときの基準レベルＺ２を保持する（Ｓ２３）。その後、較正部２３による較正（キャリブレーション）が行われる（Ｓ２４）。次に、基準値変更部２４は、所定の時間間隔でセンサ値を取得し、センサ値とセンサ値取得時の基準レベル（Ｂａ）とを比較する（Ｓ２５）。Ｓ２５において、センサ値が基準レベル（Ｂａ）以下である場合（Ｓ２５でＮＯ）には再度較正が行われるタイミングを待ち、センサ値が基準レベル（Ｂａ）よりも大きい場合（Ｓ２５でＹＥＳ）には基準レベル（Ｂａ）と上限値（Ｌａ）とを比較する（Ｓ２６）。Ｓ２６において、基準レベル（Ｂａ）が上限値（Ｌａ）以上である場合（Ｓ２６でＮＯ）には補正モードを終了し、基準レベル（Ｂａ）が上限値（Ｌａ）よりも小さい場合には、取得したセンサ値を基準レベルとして設定する（Ｓ２７）。Ｓ２７の後は、再度Ｓ２５に戻り、取得したセンサ値を基準レベル（Ｂａ）と比較し（Ｓ２５）、基準レベル（Ｂａ）を上限値（Ｌａ）と比較し（Ｓ２６）、基準レベル（Ｂａ）が上限値（Ｌａ）以上となるまでＳ２５からＳ２７を繰り返す。
【００７５】
〔ソフトウェアによる実現例〕
携帯端末１の制御ブロック（特に把持判定部１２）は、集積回路（ＩＣチップ）等に形成された論理回路（ハードウェア）によって実現してもよいし、ＣＰＵ（Central Processing Unit）を用いてソフトウェアによって実現してもよい。
【００７６】
後者の場合、携帯端末１は、各機能を実現するソフトウェアであるプログラムの命令を実行するＣＰＵ、上記プログラムおよび各種データがコンピュータ（またはＣＰＵ）で読み取り可能に記録されたＲＯＭ（Read Only Memory）または記憶装置（これらを「記録媒体」と称する）、上記プログラムを展開するＲＡＭ（Random Access Memory）などを備えている。そして、コンピュータ（またはＣＰＵ）が上記プログラムを上記記録媒体から読み取って実行することにより、本発明の目的が達成される。上記記録媒体としては、「一時的でない有形の媒体」、例えば、テープ、ディスク、カード、半導体メモリ、プログラマブルな論理回路などを用いることができる。また、上記プログラムは、該プログラムを伝送可能な任意の伝送媒体（通信ネットワークや放送波等）を介して上記コンピュータに供給されてもよい。なお、本発明は、上記プログラムが電子的な伝送によって具現化された、搬送波に埋め込まれたデータ信号の形態でも実現され得る。
【００７７】
〔まとめ〕
本発明の態様１に係る情報処理装置（携帯端末１）は、把持部を把持したユーザの手が接触する位置に設けられた、センサ値を出力する接触センサ（１１）を備えており、上記把持部が把持されていない状態における上記センサ値を表すための基準値（基準レベル）が設定されており、上記センサ値が、上記基準値と所定の差を有する値である接触閾値を超えた場合に、上記把持部が把持されたと認識する情報処理装置であって、上記センサ値の変化に伴い、上記基準値を変更する基準値変更手段（基準値変更部２４）を備えており、上記基準値変更手段は、上記センサ値が、上記基準値の変更を制限するために設定された第１の値（上限値）を超えることなく変化した場合に、上記センサ値の変化を追従させるように上記基準値を変更するとともに、上記センサ値が上記第１の値を超えて変化した場合に、当該センサ値の変化を追従させることなく上記基準値を設定する補正モードを実行することを特徴とする。
【００７８】
上記の構成によれば、基準値変更手段は、センサ値が第１の値を超えて変化した場合に、センサ値の変化を追従させることなく基準値を設定する。具体的には、例えば、センサ値が上限値を超えて変化した場合、基準レベルは上限値を超えない値に設定される。その結果、基準レベル及び閾値の上昇にも制限がかかる。
【００７９】
これにより、突如ＲＦノイズの影響が無くなりセンサ値が急激に低下した場合であっても、センサ値が容易に閾値を越えることがないため、誤動作を抑制することができる。
【００８０】
本発明の態様２に係る情報処理装置は、上記態様１において、把持されるに伴って上記センサ値が変化する方向を負方向と定義した場合、上記第１の値は、上記把持部が把持されていない状態における上記センサ値よりも大きい値に設定されており、把持されるに伴って上記センサ値が変化する方向を正方向と定義した場合、上記第１の値は、上記把持部が把持されていない状態における上記センサ値よりも小さい値（負の方向）に設定されている構成であってもよい。
【００８１】
本発明の態様３に係る情報処理装置は、上記態様１において、ある時刻における上記基準値である第１基準値（基準レベルＺ２）が、予め定められた補正モード実行閾値（ＪＬａ）を超えて上記第１基準値とは異なる第２基準値（基準レベルｒｅｆ（０））に変更された場合、上記基準値変更手段は上記補正モードを実行し、上記第１の値は、上記第２基準値以上、かつ、上記第１基準値以下の値である構成であってもよい。
【００８２】
上記の構成によれば、基準値が補正モード実行閾値を超えて変化した場合、第１の値を上限値として基準値を変化前の値に戻すことができる。
【００８３】
そのため、例えば、ユーザが把持部を把持した状態で基準値の較正が行われることによって、基準値が、ユーザが把持部を把持した状態のセンサ値まで極端に低下した場合であっても、早期に基準値を較正前の値に戻すことができ、正常に把持判定をすることができる。
【００８４】
さらに、基準レベルの上昇は第１の値によって制限されるため、ノイズの影響によって基準値及び閾値が極端に上昇することもない。そのため、突如ＲＦノイズの影響が無くなりセンサ値が急激に低下した場合であっても、センサ値が容易に閾値を越えることがないため、誤動作を抑制することができる。
【００８５】
本発明の態様４に係る情報処理装置は、上記態様３において、上記補正モードにおいて、上記基準値変更手段は、上記センサ値が上記第１の値を超えて変化した場合に、上記第１の値を上記基準値として設定する構成であってもよい。
【００８６】
上記の構成によれば、センサ値が第１の値を超えて変化した場合に、基準値を第１の値まで変化させることができる。そのため、基準レベルが極端に低下した後、早期に基準レベルを較正前の値に戻すことができ、正常に把持判定をすることができる。
【００８７】
なお、上記態様３または４において、上記第１の値は、上記第１基準値に等しい値である構成であってもよい。
【００８８】
なお、上記態様３または４において、上記第１の値は、上記第２基準値に所定の値を加えた値である構成であってもよい。
【００８９】
なお、上記態様３または４において、上記補正モード実行閾値は、上記接触閾値と等しい値である構成であってもよい。
【００９０】
本発明の態様５に係る情報処理装置の制御方法は、把持部を把持したユーザの手が接触する位置に設けられた、センサ値を出力する接触センサを備えており、上記把持部が把持されていない状態における上記センサ値を表すための基準値が設定されており、上記センサ値が、上記基準値と所定の差を有する値である接触閾値を超えた場合に、上記把持部が把持されたと認識する情報処理装置の制御方法であって、上記センサ値の変化に伴い、上記基準値を変更する基準値変更ステップを含んでおり、上記基準値変更ステップにおいて、上記センサ値が、上記基準値の変更を制限するために設定された第１の値を超えることなく変化した場合に、上記センサ値の変化を追従させるように上記基準値を変更するとともに、上記センサ値が上記第１の値を超えて変化した場合に、当該センサ値の変化を追従させることなく上記基準値を設定する補正モードを実行することを特徴とする。
【００９１】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。さらに、各実施形態にそれぞれ開示された技術的手段を組み合わせることにより、新しい技術的特徴を形成することができる。
【産業上の利用可能性】
【００９２】
本発明は、接触センサを備える情報処理装置（スマートフォン、携帯電話、タブレット端末、リモコン、ドライヤー、掃除機、その他ハンドルで操作する情報処理装置など）に利用することができる。
【符号の説明】
【００９３】
１  携帯端末（情報処理装置）
１１  接触センサ
２４  基準値変更部
ＪＬａ  補正モード実行閾値
Ｚ２  基準レベル（第１基準値）
【図１】
2015211026.tif 000003
【図２】
2015211026.tif 000004
【図３】
2015211026.tif 000005
【図４】
2015211026.tif 000006
【図５】
2015211026.tif 000007
【図６】
2015211026.tif 000008
【図７】
2015211026.tif 000009
【図８】
2015211026.tif 000010
【図９】
2015211026.tif 000011
【図１０】
2015211026.tif 000012